(57)【要約】【課題】パッキンのシール性を高める。【解決手段】弾性を有する材質にて一体形成されたパッキン１であって、所定肉厚を有する扁平な円環状の基体２の表裏の夫々に、断面形状が同大にして、且つ略半円以上の欠截円状に形成された円環突条３、3a…を基体２と同心円状にして相互に隣接する様に３重円以上連設する。  このパッキン１を配管等の接合部端面間に圧縮介装することで、円環突条３、3a…を弾性変形させると共に、円環突条３、3a…間に有する円環溝４、4a内の圧力を増大させることにより、接合部端面に対する円環突条３、3a…の接面圧力を増大させて密封する。【選択図】図２
2006052755.tif 000002
【特許請求の範囲】
【請求項１】
弾性を有する材質にて一体形成されたパッキンであって、所定肉厚を有する扁平な円環
状の基体の表裏の夫々に、断面形状が同大にして、且つ略半円以上の欠截円状に形成され
た円環突条を基体と同心円状にして相互に隣接する様に３重円以上連設したことを特徴と
するパッキン。
【発明の詳細な説明】
【技術分野】
【０００１】
本発明は、各種配管の継手部分や流体機器の接合部分にシール材として用いられるパッ
キンに関する。
【背景技術】
【０００２】
従来、上記配管等の接合部分の端面間には合成ゴム製の円環状の平型パッキンを介装し
、接合部分の連結によってパッキンを圧縮することによりシール性を向上させている。  
特許文献１には、基台上の左右側端に止水栓と逆止弁を固定し、止水栓の出口に連続し
て回転自在に取付られた筒型のハンドルと、ハンドルに組付けられその回転により進退す
る接続管材とを設けた水道メータの取付けユニットが開示されている。
このユニットは、逆止弁の入口に水道メータの出口を当接し、ハンドルの回転で接続管
材を突出させてその出口が水道メータの入口を押圧することにより、止水栓と逆止弁との
間に水道メータを介装する様に成したものであり、水道メータの出入口とこれらに夫々接
続される接続管材の出口及び逆止弁の入口との間には上記平型パッキンを介装し、夫々の
接合部をシールしている。
そして、特許文献１で開示されたユニットでは平型パッキンによるシール性を良好とす
るために、一方の接合部端面において開口周囲に収受可能な円環状の溝を形成し、その溝
の深さを外方へ向かうに従い浅く形成し、パッキンの圧縮状態で外周側が内周側に比して
圧縮量を大きくしシール性を向上させている。
【特許文献１】特開２００４−１２１３１号公報
【発明の開示】
【発明が解決しようとする課題】
【０００３】
しかしながら、上記の様な手段では一方の接合部端面に外方へ向かうに従い浅い溝を形
成せねばならないので、汎用性に欠けること、並びにパッキンがその全面において、不均
一に圧縮されるので圧縮量が大きい個所の劣化が早く、良好なシール性が得られない恐れ
を招来している。
【課題を解決するための手段】
【０００４】
本発明は、弾性を有する材質にて一体形成されたパッキンであって、所定肉厚を有する
扁平な円環状の基体の表裏の夫々に、断面形状が同大にして、且つ略半円以上の欠截円（
半円の弧或いは半円の弧より若干劣弧な略半円の弧とその両端を結ぶ弦で囲まれた図形、
又は優弧とその両端を結ぶ弦で囲まれた図形）状に形成された円環突条を基体と同心円状
にして相互に隣接する様に３重円以上連設する。
このパッキンを配管等の接合部端面間に圧縮介装することで、円環突条を弾性変形させ
ると共に、円環突条間に有する円環溝内の圧力を増大させることにより、接合部端面に対
する円環突条の接面圧力を増大させて密封する様にして、上記課題を解決する。
【発明の効果】
【０００５】
要するに本発明は、断面形状が同大にして、且つ略半円以上の欠截円状に形成された円
環突条を、所定肉厚を有する扁平な円環状の基体の表裏の夫々にこれと同心円状にして相
互に隣接する様に３重円以上連設することにより、円環突条とその間に有する円環溝によ
って半径方向に凹凸が連設するパッキンであって、このパッキンを配管等の接合部端面間
に圧縮介装すると、円環突条は接合部端面で肉厚方向に押圧されるが、円環突条間には、
これらが弾性変形する時の圧縮代の逃げ場所となる円環溝を有し、円環突条の変形が抑制
されることがないため、接合部端面に接触している円環突条の頂部側が弾性変形して接合
部端面に密着でき、従前の平型パッキンの様に接触面積が大きいために過大な締め付け力
を要することもなく良好なシール性を付与して接合部同士を連結できる。
又、かかる状態では、円環突条の弾性変形にてその間の円環溝は収縮するが、接合部端
面と潰れた円環突条により気密的に囲繞されることで円環溝内の圧力が増大しており、こ
の円環溝内の圧力によって、使用時に配管内の流体圧力が増し、該流体圧力が円環突条を
遠心方向へ押し付ける様に作用しても、円環突条の遠心方向への変形が抑止され、これに
より円環突条は接合部端面との接面圧力が増大することになり、より一層の安定したシー
ル性が得ることができる。
よって本発明によれば、特許文献１の様に接合部端面を加工することなく、シール性を
高めることができるため、上記の様なメータユニットに拘らず、固定又は静止した接合部
間のシールに用いることができ、汎用性に富んでおり、又接合部の連結も平型パッキンの
様な過大な締め付け力を要しないので、その接続作業も簡便であると共に比較的寿命を長
くできる効果を有する等その実用的効果甚だ大である。
【発明を実施するための最良の形態】
【０００６】
以下本発明の実施の形態としての実施例を図面に基づいて説明する。
本発明に係るパッキン１は、合成ゴム等の弾性を有する材質にて一体形成されたもので
あって、所定肉厚を有する扁平な円環状の基体２の表裏の夫々に、断面形状が同大にして
、且つ略半円以上の欠截円状に形成された円環突条３、3a…を基体２と同心円状にして相
互に隣接する様に３重円以上（図示例では３重円）連設している。
ここに欠截円とは、所定円弧（半円、優弧、劣弧）とその両端を結ぶ弦で囲まれた形状
を意味しており、略半円以上の欠截円は、図示例の様な半円の弧とその両端を結ぶ弦で囲
まれた形状、半円の弧より若干劣弧な略半円の弧とその両端を結ぶ弦で囲まれた形状（図
示せず）、又は優弧とその両端を結ぶ弦で囲まれた形状（図示せず）のことである。
又、隣接する円環突条３、3a…同士はその付け根が連続形成され、円環突条３、3a…間
にはその付け根に向かうに従い狭窄した円環溝４、4aを有しており、該円環溝４、4aの底
部は曲率が極めて小さい断面円弧状に形成されており、この様に円環突条３、3a…の付け
根を円弧（円環溝４、4aの底部に相当）で連続させることにより、かかる部位の強度を高
めている。
この様に、略半円以上の欠截円状に形成された同大の断面形状を有する円環突条３、3a
…を相互に隣接する様に３重円以上連設することにより、後述する様に、パッキン１を配
管やその他の流体機器の接合部Ｘ、Ｙ端面間に圧縮介装した使用状態において、円環突条
３、3a…の弾性変形にて円環溝４、4aが収縮して接合部端面と弾性変形された円環突条３
、3a…で気密的に囲繞された空間（収縮した円環溝４、4a）内の圧力を増大させ、この圧
力がパッキン１の内側より遠心方向へ作用する流体圧力に抗することで、円環突条３、3a
…の接合部Ｘ、Ｙ端面に対する接面圧力を増大させてシール性を高める。
尚、基体２の肉厚方向中間部位には、ガラス不織布、ガラス布等から成る円環状の基布
（図示せず）を埋設しても良い。
【０００７】
図５は、上記構成のパッキン１を水道メータ取付けユニット５に使用した状態を示す断
面図である。
このユニット５は、水道メータ６の出入口７、８を結ぶ軸線上で水道メータ６の全長（
出入口７、８間距離）より長い間隔を置いて止水栓９の出口10及び逆止弁11の入口12の夫
々を配置する様に止水栓９と逆止弁11とを、左右に長い基台13の左右端部に上方突設した
保持部14、14ａに固定し、止水栓９の出口10に前記軸線上を伸縮する管継手装置15を設け
ている。
【０００８】
管継手装置15は止水栓９の出口10に回転自在に外嵌すると共に、基端部外周に複数の羽
根状片を放射突設したハンドル16を設けて成る操作管体17と、前記出口10内に軸線方向に
進退自在にして水密状に挿入した伸縮管体18と、該伸縮管体18の先端部に一端部を固定す
ると共に、回転が規制された状態で操作管体17の先端部側に他端部を外嵌螺着した進退管
体19とから主に構成されている。
又、基台13上面に対向する進退管体19下部には水平に切断された平坦面20を設けて成り
、該平坦面20は、基台13上面に突設した突堤21上を摺動する様に設置し、これにより操作
管体17の回転が進退管体19に伝達されても進退管体19は回転することなく軸線方向に進退
する様に成している。
【０００９】
逆止弁11の入口12の周端縁には、水道メータ６の出口８の外径に対応した周壁22を突設
し、該周壁22の下半円部分は他の部分より延出形成され、前記出口８の下半円部分の受承
部22ａと成し、逆止弁11の入口12端面にはパッキン１に対応した円環状の凹溝23を設け、
該凹溝23にパッキン１を表裏面の一方を配置することにより、パッキン１を位置決め固定
している。
又、伸縮管体18の先端部に開口した水道メータ６の入口７との連結口18ａにはフランジ
24を外方突設し、該フランジ24周端縁には、前記入口７の外径に対応した周壁25を突設し
、該周壁25の下半円部分は他の部分より延出形成され、前記入口７の下半円部分の受承部
25ａと成し、伸縮管体18のフランジ24端面には、上記凹溝23と同一形状の凹溝26を設け、
該凹溝26にパッキン１を表裏面の一方を配置することにより、パッキン１を位置決め固定
している。
本実施例では、パッキン１を位置決め容易にするために凹溝23、26を設けたが、必ずし
も設ける必要はない。
【００１０】
そして、基台13に固定された止水栓９及び逆止弁11間に水道メータ６を介装連結するに
は、先ず、伸縮管体18を後退した状態で、水道メータ６の入口７及び出口８の夫々を上記
受承部25ａ、22ａに載置する。
次いで、ハンドル27にて操作管体17を一方向に回転させることで、これに外嵌螺着した
進退管体19は、その下部の平坦部20が突堤21上に接してその回転が常に規制されているた
め軸線方向に前進し、進退管体19の一端部に先端部が固定された伸縮管体18を同様に前進
移動させる。
伸縮管体18の上記前進により、その先端のフランジ24で以て水道メータ６を逆止弁11側
へ押圧し、伸縮管体18の連結口18ａと逆止弁11の入口12は夫々の端面に設けたパッキン１
を介して水道メータ６の入口７及び出口８の端面に圧着接合され、これにより水密性が保
持された状態で伸縮管体18の連結口18ａと水道メータ６の入口７、逆止弁11の入口12と水
道メータ６の出口８が連通し、止水栓９と逆止弁11間に水道メータ６が圧着連結される（
図５、６参照）。
【００１１】
上記の様に、止水栓９と逆止弁11間に水道メータ６が圧着連結された状態では、パッキ
ン１において、接合部Ｘ、Ｙ（水道メータ６の入口７と伸縮管体18の連結口18ａ、及び水
道メータ６の出口８と逆止弁11の入口12) 端面に接触している円環突条３、3a…の頂部側
が弾性変形して密着することによりシールする。
かかる状態にあっては、円環突条３、3a…間には、これらが弾性変形する時の圧縮代の
逃げ場所となる円環溝４、4aを有し、円環突条３、3a…の変形が抑制されることがないた
め、弾性変形した円環突条３、3a…は、接合部Ｘ、Ｙ端面に密着している。
【００１２】
この様に、円環突条３、3a…が弾性変形すると、その間の円環溝４、4aはパッキン１の
未圧縮状態に比し収縮するが、接合部Ｘ、Ｙ端面と潰れた円環突条３、3a…によって気密
的に囲繞されるため、その囲繞空間（円環溝４、4a）内の圧力は増大し、特に円環溝４、
4a間の円環突条3aは接合部Ｘ、Ｙ端面との接面圧力が増大して密着する。
又、使用状態において、止水栓９、伸縮管体18、水道メータ６及び逆止弁11内を通水す
る流体の圧力が増し、該流体圧力が円環突条３、3a…を遠心方向へ押し付ける様に作用し
ても、上記の如く円環溝４、4a内の増大された圧力によって、円環突条３、3a…の遠心方
向への変形が抑止されると共に、特に流体圧力が直接作用するパッキン１内側の円環突条
３は、その流体圧力と円環溝４内の増大された圧力とによって接合部Ｘ、Ｙ端面との接面
圧力を高めて密着する。
この様に使用時においては、流体圧力の作用によって更にシール性を高められ、その状
態を維持する。
【図面の簡単な説明】
【００１３】
【図１】パッキンの平面図である。
【図２】図１のＡーＡ断面図である。
【図３】図２のＢーＢ部分拡大図である。
【図４】パッキンの一部を破断した斜視図である。
【図５】パッキンの使用状態の一例を示す断面図である。
【図６】図５の要部拡大図である。
【符号の説明】
【００１４】
１  パッキン
２  基体
３  円環突条
【図１】
2006052755.tif 000003
【図２】
2006052755.tif 000004
【図３】
2006052755.tif 000005
【図４】
2006052755.tif 000006
【図５】
2006052755.tif 000007
【図６】
2006052755.tif 000008